(57)【特許請求の範囲】
【請求項１】
画像を表示する表示手段と、
指定された日付を特定日として記憶する日付記憶手段と、
現在の日付を現在日として取得する取得手段と、
この取得手段により取得された現在日から前記日付記憶手段に記憶された特定日までの残日数を算出する算出手段と、
前記表示手段に表示している表示画像を、前記算出手段により算出された前記残日数に応じた頻度で、所定の画像に切り換えて一時的に表示した後に前記表示画像に切り換える制御を繰り返す表示制御手段と、
を備えることを特徴とする画像表示装置。
【請求項２】
前記表示制御手段は、前記表示手段に任意の画像を前記表示画像として表示させるとともに、前記残日数に応じた頻度で割り込んで、前記任意の画像とは異なる前記所定の画像に切り換えて一時的に表示した後に該任意の画像に切り換える制御を繰り返すことを特徴とする請求項１記載の画像表示装置。
【請求項３】
前記表示制御手段は、前記残日数が少なくなるに従って高い頻度で、前記所定の画像に切り換えて一時的に表示した後に前記表示画像に切り換える制御を繰り返すことを特徴とする請求項１又は２記載の画像表示装置。
【請求項４】
複数の画像を記憶する画像記憶手段と、
この画像記憶手段に記憶された画像の何れかを指定する指定手段とを備え、
前記表示制御手段は、前記画像記憶手段から読み出した何れかの画像を前記任意の画像として表示させるとともに、前記指定手段により指定された画像に切り換えて一時的に表示した後に該任意の画像に切り換える制御を繰り返すことを特徴とする請求項２記載の画像表示装置。
【請求項５】
日付を入力する入力手段を備え、
前記日付記憶手段は、前記入力手段により入力された日付を前記特定日として記憶することを特徴とする請求項１又は２記載の画像表示装置。
【請求項６】
前記入力手段は、前記日付とともに時刻を入力する手段を備え、
前記日付記憶手段は、前記入力手段により入力された日付を前記特定日として記憶するとともに、前記時刻を前記特定日の時刻として記憶し、
前記取得手段は、現在の日付を現在日として取得するとともに現在の時刻を現在時刻として取得し、
前記算出手段は、前記取得手段により取得された現在日及び現在時刻から前記日付記憶手段に記憶された特定日の時刻までの残日数と残時間とを算出し、
前記表示制御手段は、前記算出手段により算出された前記残日数と残時間とに応じた頻度で、前記所定の画像に切り換えて一時的に表示した後に前記表示画像に切り換える制御を繰り返すことを特徴とする請求項５記載の画像表示装置。
【請求項７】
指定された日付を特定日として記憶する日付記憶ステップと、
現在の日付を現在日として取得する取得ステップと、
この取得ステップにより取得された現在日から前記日付記憶ステップで記憶された特定日までの残日数を算出する算出ステップと、
表示手段に表示している表示画像を、前記算出ステップにより算出された前記残日数に応じた頻度で、所定の画像に切り換えて一時的に表示した後に前記表示画像に切り換える制御を繰り返す表示制御ステップと、
を含むことを特徴とする画像表示方法。
【請求項８】
画像を表示する表示手段を備える装置が有するコンピュータに、
指定された日付を特定日として記憶する日付記憶機能、
現在の日付を現在日として取得する取得機能、
この取得機能により取得された現在日から前記日付記憶機能に記憶された特定日までの残日数を算出する算出機能、
前記表示手段に表示している表示画像を、前記算出機能により算出された前記残日数に応じた頻度で、所定の画像に切り換えて一時的に表示した後に前記表示画像に切り換える制御を繰り返す表示制御機能、
を実現させることを特徴とする画像表示制御プログラム。
【発明の詳細な説明】
【技術分野】
【０００１】
本発明は、画像表示装置、画像表示方法及び画像表示制御プログラムに関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、例えば電話帳機能とスケジュールアラーム機能とを利用して画像を表示する装置も提案されるに至っている。この装置は、スケジュールアラーム機能において、電話帳データに含まれている誕生日情報を利用して、その誕生日を検索する。そして、時計部で計時した日時が誕生日と一致すると、電話帳データに含まれている写真を表示させる。したがって、電話帳データに含まれている写真が表示されることにより、ユーザは本日が対応する人物の誕生日であることを知ることができる（例えば、特許文献１）。
【先行技術文献】
【特許文献】
【０００４】
【特許文献１】特開２００５−３０３８９２号公報
【発明の概要】
【発明が解決しようとする課題】
【０００５】
しかしながら、前述した従来技術にあっては、誕生日等の特定日となったときに、特定の画像が突然表示される。したがって、ユーザは特定日が到来することを事前に察知することができない。また、ユーザに特定日が到来することに対する期待感も生じさせることができず、画像の表示形態として興趣性に欠けるものであった。
【０００６】
本発明は、ユーザに特定日時が到来することを事前に察知させるとともに、特定日時が到来することに対する期待感も生じさせることのできる画像表示装置、画像表示方法及び画像表示制御プログラムを提供することを目的とする。
【課題を解決するための手段】
【０００７】
前記課題を解決するため、請求項１記載の発明に係る画像表示装置にあっては、画像を表示する表示手段と、指定された日付を特定日として記憶する日付記憶手段と、現在の日付を現在日として取得する取得手段と、この取得手段により取得された現在日から前記日付記憶手段に記憶された特定日までの残日数を算出する算出手段と、前記表示手段に表示している表示画像を、前記算出手段により算出された前記残日数に応じた頻度で、所定の画像に切り換えて一時的に表示した後に前記表示画像に切り換える制御を繰り返す表示制御手段と、を備えることを特徴とする画像表示装置。
【０００８】
また、請求項２記載の発明に係る画像表示装置にあっては、前記表示制御手段は、前記表示手段に任意の画像を前記表示画像として表示させるとともに、前記残日数に応じた頻度で割り込んで、前記任意の画像とは異なる前記所定の画像に切り換えて一時的に表示した後に該任意の画像に切り換える制御を繰り返すことを特徴とする。
【０００９】
また、請求項３記載の発明に係る画像表示装置にあっては、前記表示制御手段は、前記残日数が少なくなるに従って高い頻度で、前記所定の画像に切り換えて一時的に表示した後に前記表示画像に切り換える制御を繰り返すことを特徴とする。
【００１０】
また、請求項４記載の発明に係る画像表示装置にあっては、複数の画像を記憶する画像記憶手段と、この画像記憶手段に記憶された画像の何れかを指定する指定手段とを備え、前記表示制御手段は、前記画像記憶手段から読み出した何れかの画像を前記任意の画像として表示させるとともに、前記指定手段により指定された画像に切り換えて一時的に表示した後に該任意の画像に切り換える制御を繰り返すことを特徴とする。
【００１１】
また、請求項５記載の発明に係る画像表示装置にあっては、日付を入力する入力手段を備え、前記日付記憶手段は、前記入力手段により入力された日付を前記特定日として記憶することを特徴とする。
【００１２】
また、請求項６記載の発明に係る画像表示装置にあっては、前記入力手段は、前記日付とともに時刻を入力する手段を備え、前記日付記憶手段は、前記入力手段により入力された日付を前記特定日として記憶するとともに、前記時刻を前記特定日の時刻として記憶し、前記取得手段は、現在の日付を現在日として取得するとともに現在の時刻を現在時刻として取得し、前記算出手段は、前記取得手段により取得された現在日及び現在時刻から前記日付記憶手段に記憶された特定日の時刻までの残日数と残時間とを算出し、前記表示制御手段は、前記算出手段により算出された前記残日数と残時間とに応じた頻度で、前記所定の画像に切り換えて一時的に表示した後に前記表示画像に切り換える制御を繰り返すことを特徴とする。
【００１３】
また、請求項７記載の発明に係る画像表示方法にあっては、指定された日付を特定日として記憶する日付記憶ステップと、現在の日付を現在日として取得する取得ステップと、この取得ステップにより取得された現在日から前記日付記憶ステップで記憶された特定日までの残日数を算出する算出ステップと、表示手段に表示している表示画像を、前記算出ステップにより算出された前記残日数に応じた頻度で、所定の画像に切り換えて一時的に表示した後に前記表示画像に切り換える制御を繰り返す表示制御ステップと、を含むことを特徴とする。
【００１４】
また、請求項８記載の発明に係る画像表示制御プログラムにあっては、画像を表示する表示手段を備える装置が有するコンピュータに、指定された日付を特定日として記憶する日付記憶機能、現在の日付を現在日として取得する取得機能、この取得機能により取得された現在日から前記日付記憶機能に記憶された特定日までの残日数を算出する算出機能、前記表示手段に表示している表示画像を、前記算出機能により算出された前記残日数に応じた頻度で、所定の画像に切り換えて一時的に表示した後に前記表示画像に切り換える制御を繰り返す表示制御機能、を実現させることを特徴とする。
【発明の効果】
【００１５】
本発明によれば、ユーザに特定日時が到来することを事前に察知させることができるとともに、ユーザに特定日時が到来することに対する期待感も生じさせることができ、また、興趣性の高い表示形態で画像を表示させることができる。
【図面の簡単な説明】
【００１６】
【図１】本発明の実施形態に係る画像表示装置の回路構成、及びシステム構成を示すブロック図である。
【図２】メインルーチンを示すフローチャートである。
【図３】スイッチ処理の処理手順を示すフローチャートである。
【図４】モードＳＷ処理の処理手順を示すフローチャートである。
【図５】日時入力ＳＷ処理の処理手順を示すフローチャートである。
【図６】画像選択ＳＷ処理の処理手順を示すフローチャートである。
【図７】表示処理の処理手順を示すフローチャートである。
【図８】セットＳＷ処理の処理手順を示すフローチャートである。
【図９】割り込み（１）の処理手順を示すフローチャートである。
【図１０】割り込み（２）の処理手順を示すフローチャートである。
【発明を実施するための形態】
【００１７】
以下、本発明の実施形態について説明する。図１は、本実施の形態に係る画像表示装置１、及びこれを含む画調変換システムの電気的構成を示したブロック図である。画像表示装置１は、ＣＰＵ（Ｃｅｎｔｒａｌ  Ｐｒｏｃｅｓｓｉｎｇ  Ｕｎｉｔ）１１と、ＣＰＵ１１に接続されたＲＯＭ（Ｒｅａｄ  Ｏｎｌｙ  Ｍｅｍｏｒｙ）１２、ＲＡＭ（Ｒａｎｄｏｍ  Ａｃｃｅｓｓ  ｍｅｍｏｒｙ）１３、内部メモリ１４を備え、ＲＯＭ１２には、ＣＰＵ１１に後述するフローチャートに示す動作を行わせるためのプログラム等が記憶されている。
【００１８】
内部メモリ１４は、ハードディスク又はフラッシュメモリによる大容量不揮発性メモリであり、後述する処理によりフォルダ１４１、１４２・・・が確保されて、画像をフォルダ１４１、１４２・・・毎に保存可能となっている。表示制御部１６は、ＣＰＵ１１から供給される表示用の画像データに基づいて液晶表示パネル３を駆動することにより、画像や各種メニューを液晶表示パネル３に表示させる。
【００１９】
キー入力制御部１７はＣＰＵ１１の制御に基づいてタッチパネル５の操作信号と、キー入力部２１の操作信号を入力するものである。本実施の形態において、キー入力部２１には、電源スイッチ、テンキー、後述する登録モードと通常モードとを選択的に設定する際に操作されるモード切換スイッチ、画像を選択する際に操作される画像選択スイッチ、残日数に応じた頻度で所定の画像を表示させる機能を発生させる際に操作されるセットスイッチ、及びその他のスイッチが設けられている。
【００２０】
メモリカードインターフェース１８は、メモリカードスロットに着脱自在に装着された各種のメモリカード６０と、ＣＰＵ１１との間におけるデータの入出力を制御する入出力インターフェースである。ＧＰＳ制御部２０は、ＧＰＳアンテナ７で受信した情報を元に位置情報を取得する。これにより、画像表示装置１の現在位置を知ることもできる。
【００２１】
人感センサ１９はＣＰＵ１１に接続され、近くに人がいるかどうかを検知するものである。したがって、近くに人がいない状態が所定時間以上続くと自動的に電源を切って節電を図る（オートパワーオフ）。
【００２２】
通信制御部３０は、電話回線３１若しくは無線ＬＡＮ３２を経由して画像やメールの送受信を含む通信制御を行う。アドレス帳３３は、メール送受信に使用するものであり、実際は内部メモリ１４内に設けられる。
【００２３】
バックアップサーバ４０は、ネットワーク９０を介して接続され、自動的に若しくは手動指示により内部メモリ１４に記録されたデータのバックアップを行う。コンテンツサーバ５０は、多数のコンテンツや画像を有しており、ネットワーク９０を介して画像表示装置１へデータを配信することができる。
【００２４】
撮像装置７０は、所謂デジタルカメラであり、撮像素子やこれを制御する撮像制御部、及び画像送信部等を備える。そして、撮像制御部により撮像素子を駆動してカラーからなる被写体の画像を所定の周期（フレームレート）で取り込む制御を行い、取り込んだライブビュー画像を外部に送信する送信手段を備える。この撮像装置７０は、ネットワーク９０を介して電話回線３１あるいは無線ＬＡＮ３２で画像表示装置１の通信制御部３０に接続されている。したがって、画像表示装置１のＣＰＵ１１は、撮像装置７０により撮像されて、前記送信手段により転送されたライブビュー画像を逐次取り込むことが可能である。
【００２５】
このとき、撮像装置７０が、ユーザが有している画像表示装置１の場所とは異なる遠隔地に配置されていることにより、ユーザは遠隔地の景色を画像表示装置１の液晶表示パネル３で観賞することができる。
【００２６】
また、電源制御部８０は、電源プラグ３１を介してＡＣ電源を取り入れ、直流に変換して各部に電力を供給する。前述したオートパワーオフの制御も行う。ＲＡＭ１３は、ＣＰＵ１１が必要に応じて種々のデータを一時的に記憶する作業用のメモリである。
【００２７】
次に、以上の構成に係る本実施の形態の動作について説明する。キー入力部２１に設けられている電源スイッチがオン操作されると、ＣＰＵ１１はＲＯＭ１２に記憶されているプログラムに従ってＲＡＭ１３をワークエリアとして使用しつつ、各部の制御及び処理を開始する。図２は、ＣＰＵ１１の処理手順を示すメインフローである。ＣＰＵ１１は、先ずイニシャライズ処理を行って、後述するフロー内において用いるフラグをセットあるいはリセットするとともに、ＲＡＭ１３のワークエリアをクリアする（ステップＳＡ１）。
【００２８】
引き続き、電源スイッチがオフ操作されるまで、スイッチ処理（ステップＳＡ２）表示処理（ステップＳＡ３）、これら以外のその他の処理（ステップＳＡ３）を順次繰り返す。
【００２９】
図３は、前記スイッチ処理（ステップＳＡ２）の詳細を示すフローチャートである。ＣＰＵ１１は、モードスイッチ処理（ステップＳＢ１）、日時入力処理（ステップＳＢ２）、画像選択ＳＷ（スイッチ）処理（ステップＳＢ３）、セットＳＷ処理（ステップＳＢ４）、これら以外のその他のＳＷ処理（ステップＳ５）を順次実行する。
【００３０】
図４は、前記モードスイッチ処理（ステップＳＢ１）の詳細を示すフローチャートである。ＣＰＵ１１は、キー入力部２１に設けられているモード切換スイッチがオンとなったか否かを判断する（ステップＳＣ１）。ユーザによりモード切換スイッチが押下されてオンとなったならば、フラグＭＦを反転させる（ステップＳＣ２）。したがって、フラグＭＦは、モード切換スイッチが操作される毎に「１→０」、「０→１」と変化する。
【００３１】
次に、この反転によってフラグＭＦが「１」となったか否かを判断する（ステップＳＣ３）。そして、ＭＦ＝１となった場合には、液晶表示パネル３に日時入力画面を表示させ（ステップＳＣ４）、ＭＦ＝０となった場合には、液晶表示パネル３にレジスタＧの値が示す画像番号Ｇの画像を表示させる。
【００３２】
つまり、このモードスイッチ処理は、モード切換スイッチが操作される毎に、ＭＦ＝１で示される登録モードと、ＭＦ＝０で示される通常モードに切り替える処理である。そして、通常モードから登録モードに切り替えられた際には、ステップＳＣ４の処理で画像を表示していた状態から日時入力画面に切り換え、登録モードから通常モードに切り替えられた際には、ステップＳＣ５の処理で日時入力画面を表示していた状態から画像表示画面に切り替えるのである。なお、画像番号については、後述する。
【００３３】
図５は、前記日時入力ＳＷ処理（ステップＳＢ３）の詳細を示すフローチャートである。ＣＰＵ１１は、ＭＦ＝１であるか否かにより登録モードが設定されているか否かを判断する（ステップＳＤ１）。ＭＦ＝１であって登録モードが設定されている場合には、キー入力部２１に設けられているテンキーを用いた日時の入力操作があったか否かを判断する（ステップＳＤ２）。日時の入力操作があったならば、レジスタＡに入力された日時をストアする。
【００３４】
なお、ユーザが入力する日時は、例えば誕生日、結婚記念日等の特定日である場合において、「日」「時」の両者を入力する必要はなく、「日」つまり日付のみを入力すればよい。無論、例えば誕生日において生まれた時刻まで判明している場合には、「日」「時」の両者を入力してもよい。
【００３５】
図６は、前記画像選択ＳＷ処理（ステップＳＢ３）の詳細を示すフローチャートである。ＣＰＵ１１は、先ずキー入力部２１に設けられている画像選択スイッチが操作されたか否かを判断する（ステップＳＥ１）。画像選択スイッチが操作されたならば、フラグＭＦがセットされているか否かを判断する（ステップＳＥ２）。ＭＦ＝１であって登録モードが設定されている状態にある場合には、テンキーの操作により入力された画像番号をレジスタＨに格納する（ステップＳＥ３）。ＭＦ＝０であって通常モードが設定されている状態にある場合には、テンキーの操作により入力された画像番号をレジスタＧに格納する（ステップＳＥ４）。しかる後に、フラグＧＦをセット（←１）して（ステップＳＥ５）、リターンする。
【００３６】
すなわち、メモリカード６０には、先頭画像をナンバー「０」とし、シリアルナンバーに対応して複数の画像が記憶されており、画像番号とは、メモリカード６０に記憶されている画像の番号である。そして、登録モードが設定されている場合には、入力された画像番号をレジスタＨに格納し、通常モードが設定されている場合には、入力された画像番号をレジスタＧに格納する。
【００３７】
図７は、表示処理（ステップＳＡ３）の詳細を示すフローチャートである。ＣＰＵ１１は、フラグＧＦがセットされているか否かを判断する（ステップＳＦ１）。ＧＦ＝１であってセットされているならば、メモリカード６０から読み出した画像画像番号Ｇ（レジスタＧの値が示す画像番号）の画像を液晶表示パネル３に表示させる（ステップＳＦ２）。しかる後に、フラグＧＦをリセット（←０）して（ステップＳＦ３）、リターンする。
【００３８】
前記ステップＳＦで判断されるフラグＧＦにあっては、前述のステップＳＥ５において、画像選択スイッチの操作された際にセットされている。また、このとき通常モードの状態であるならば、ステップＳＥ４の処理で、入力された画像番号がレジスタＧに格納されている。したがって、通常モードで画像選択スイッチが操作された直後においては、図７のフロー上で、ステップＳＦ１→ＳＦ２→ＳＦ３と処理が実行され、通常モードで選択された画像番号Ｇに対応する画像が液晶表示パネル３に表示されることとなる。
【００３９】
図８は、セットＳＷ処理（ステップＳＢ４）の詳細を示すフローチャートである。ＣＰＵ１１は、キー入力部２１に設けられているセットスイッチがオンとなったか否かを判断する（ステップＳＧ１）。ユーザによりセットスイッチが押下されてオンとなったならば、フラグＴＦを反転させる（ステップＳＧ２）。したがって、フラグＴＦは、セットスイッチが操作される毎に「１→０」、「０→１」と変化する。
【００４０】
次に、この反転によってフラグＴＦが「１」となったか否かを判断する（ステップＳＧ３）。ＴＦ＝０となった場合には、以降の処理を実行することなくリターンする。したがって、ステップＳＧ４以下の処理は、ＴＦ＝１となった場合においてのみ実行される。
【００４１】
すなわち、ＴＦ＝１となった場合には、ＣＰＵ１１が内蔵する計時部から現在日時を取り込み（ステップＳＧ４）、この取り込んだ現在日時をレジスタＢに格納する（ステップＳＧ５）。次に、前記ステップＳＤ３でレジスタＡに格納した入力日時（特定日時）と、前記ステップＳＧ５でレジスタＢに格納した現在日時との差（Ａ−Ｂ）から、特定日時に対する残日数、残時間を算出して、レジスタＣに格納する（ステップＳＧ６）。
【００４２】
このとき、レジスタＡに日付のみが格納されている場合には、残日数のみが算出されてレジスタＣに格納され、レジスタＡに日付と時刻が格納されている場合には、残日数と残時間とが算出されてレジスタＣに格納されることとなる。
【００４３】
次に、このレジスタＣに格納した残日数又は残日数と残時間を変数Ｃとして、残日数又は残日数と残時間が少なくなるに従って周期Ｐの値が短くなる関数ｆ（Ｃ）を用いて、割り込み周期Ｐを得る（ステップＳＧ７）。この割り込み周期Ｐを得るに際しては、前記関数ｆ（Ｃ）によることなく、残日数又は残日数と残時間が少なくなるに従って短くなる周期Ｐを記憶したテーブル等、要は残日数又は残日数と残時間が少なくなるに従って短くなる周期Ｐが得られればどのような手段、方法であってもよい。
【００４４】
なお、周期Ｐは、レジスタＡに格納した入力日時（特定日時）と、前記ステップＳＧ５でレジスタＢに格納した現在日時との差（Ａ−Ｂ）が「０」となった場合、つまり当日、又は当日の当時刻となった場合が最も短いものとする。そして、このステップＳＧ７で得られたＰをタイマに割り込み（１）の周期Ｐとして設定した後（ステップＳＧ８）、リターンする。
【００４５】
また、このセットスイッチ処理（図８）が再度実行された際には、既にＴＦ＝１の状態にあるから、セットスイッチが操作されずとも、ステップＳＧ３の判断がＹＥＳとなって、ステップＳＧ３〜ＳＧ８の処理が実行される。このとき、ステップＳＧ５でレジスタＢに格納される現在日時は歩進していることから、ステップＳＧ６でレジスタＣに格納される残日数又は残日数と残時間の値は漸次小さくなる。その結果、ステップＳＧ７で得られる割り込み周期Ｐも漸次短くなり、ステップＳＧ８では処理が実行される都度、前回よりも短い割り込み（１）の周期Ｐがタイマに設定されることとなる。
【００４６】
図９は、割り込み（１）のタイマインタラプトルーチンを示すフローチャートである。ＣＰＵ１１は、フラグＴＦがセット（＝１）されているか否かを判断する（ステップＳＨ１）。フラグＴＦがセットされておらず、ＴＦ＝０である場合には、以降の処理を実行することなくリターンする。フラグＴＦがセットされており、ＴＦ＝０である場合には、フラグＳＦがリセット（＝０）されているか否かを判断する（ステップＳＨ２）。このフラグＳＦは、イニシャライズ処理（ステップＳＡ１）でリセットされるフラグであり、割り込み（１）が最初に実行された際には、ＳＦ＝０となっている。したがって、ステップＳＨ２からステップＳＨ３に進み、レジスタＦＧにレジスタＧの画像番号を格納する。
【００４７】
つまり、レジスタＦＧは、現在液晶表示パネル３に表示されている画像から、所定の画像（ステップＳＥ３でレジスタＨに格納された画像番号の画像；以下、特定画像という）に切り換える際に、現在表示されている画像（以下、通常画像という）を退避させるための退避用レジスタであり、現在液晶表示パネル３に表示されている画像の画像番号Ｇ（レジスタＧに格納されている画像番号）を一時的に記憶する。
【００４８】
次に、退避済みとなったレジスタＧにレジスタＨの画像番号を上書きし（ステップＳＨ４）、フラグＧＦをセットし、ＧＦ＝１にする（ステップＳＨ５）。すると、前述した図７のフローチャートに従って表示処理が実行された際、ＧＦ＝１であることによりステップＳＦ１の判断がＹＥＳとなる。したがって、ステップＳＦ１からステップＳＦ２に進み、画像番号Ｇに対応する画像を液晶表示パネル３に表示させる。このとき、前記ステップＳＨ４の処理で、レジスタＧにはレジスタＨの画像番号が格納されている。したがって、液晶表示パネル３に表示されている画像は通常画像から特定画像に切り換えられる。
【００４９】
しかる後に、図９のステップＳＨ５に続くステップＳＨ６においては、タイマＴに所定値をセットする。また、フラグＳＦをセット（←１）した後、割り込み（２）の禁止を解除する（ステップＳＨ８）。
【００５０】
図１０は、このステップＳＨ８で割り込み禁止が解除された割り込み（２）のインタラプトルーチンを示すフローチャートである。ＣＰＵ１１は、フラグＳＦがセット（＝１）されているか否かを判断する（ステップＳＩ１）。フラグＳＦがセットされておらず、ＳＦ＝０である場合には、以降の処理を実行することなくリターンする。
【００５１】
前記図９の割り込み（１）処理が実行されると、ステップＳＨ７でＳＦ＝１とされているので、ステップＳＩ１の判断は必ずＹＥＳとなる。したがって、ステップＳＩ１からステップＳＩ２に進み、タイマＴの値をデクリメントしてカウントダウンさせる。そして、このカウントダウンさせたタイマＴの値が０以下となったか否かを判断し（ステップＳＩ３）、Ｔ≦０となっていない場合には、以降の処理を実行することなくリターンする。
【００５２】
Ｔ≦０となったならば、レジスタＧに前記退避に用いたレジスタＦＧの値を上書きする（ステップＳＩ４）。引き続き、フラグＧＦをセットし（ステップＳＩ５）、割り込み（２）を禁止して（ステップＳＩ６）、リターンする。
【００５３】
すると、前述した図７のフローチャートに従って表示処理が実行された際、ＧＦ＝１であることによりステップＳＦ１の判断がＹＥＳとなる。したがって、ステップＳＦ１からステップＳＦ２に進み、画像番号Ｇに対応する画像を液晶表示パネル３に表示させる。このとき、前記ステップＳＩ４の処理で、レジスタＧには退避させた画像番号が再度格納されている。したがって、液晶表示パネル３に表示されている画像は特定画像から通常画像に切り換えられることとなる。
【００５４】
つまり、通常画像から切り換えられた特定画像は、タイマＴがカウントするＴ時間のみ表示された後、再度通常画像に切り換えられる。しかし、この特定画像がＴ時間表示されるまでの時間間隔は、図８のフローチャートにおけるステップＳＧ７及びステップＳＧ８での処理により、残日数又は残日数及び残時間が短くなるに従って短くなる。よって、液晶表示パネル３上において、残日数又は残日数及び残時間が短くなるに従って高い頻度で特定画像から通常画像に切り替わる。
【００５５】
したがって、ユーザが選択した特定画像の表示頻度が高まることにより、ユーザに特定日時が到来することを事前に察知させることができるとともに、ユーザに特定日時が到来することに対する期待感も生じさせることができる。
【００５６】
また、特定画像を前記頻度で表示させるのみならず、通常画像も表示させることから、ユーザは通常画像を観賞しつつ特定日時が到来することに対する期待感も得ることができる。
【００５７】
また、残日数又は残日数及び残時間が短くなるに従って、高い頻度で特定画像が表示されることから、特定日時が到来することに対する期待感を効果的に刺激することができる。
【００５８】
また、特定画像は、ユーザが任意に選択して設定することができることから、特定日の意味に表現する画像を前述した頻度で表示させることができ、また、特定日や特定時刻の入力も容易に行うことができる。
【００５９】
なお、本実施の形態においては、メモリカード６０に記憶されている画像を表示するようにしたが、これに限ることなく内部メモリ１４に予め記憶されている画像、あるいはネットワーク９０を介してコンテンツサーバ５０からダウンロードし、ＲＡＭ１３又は内部メモリ１４に格納した画像等、他の記憶媒体に記憶されている画像であってもよい。
【００６０】
また、実施の形態においては、現在日時との差（Ａ−Ｂ）が「０」となった場合、つまり特定日当日が最も高い頻度で特定画像が表示されることとしたが、特定日当日においては、切り換え表示を行うことなく特定画像の表示のみを行うようにしてもよい。
【符号の説明】
【００６１】
１    画像表示装置
３    液晶表示パネル
１１    ＣＰＵ
１２    ＲＯＭ
１３    ＲＡＭ
１４    内部メモリ
１６    表示制御部
１７    キー入力制御部
１８    メモリカードインターフェース
１９    人感センサ
２１    キー入力部
３０    通信制御部
【図１】
0005671889.tif 000002
【図２】
0005671889.tif 000003
【図３】
0005671889.tif 000004
【図４】
0005671889.tif 000005
【図５】
0005671889.tif 000006
【図６】
0005671889.tif 000007
【図７】
0005671889.tif 000008
【図８】
0005671889.tif 000009
【図９】
0005671889.tif 000010
【図１０】
0005671889.tif 000011